(57)【特許請求の範囲】
【請求項１】
装置において、
１又は複数の送信機からの信号を受信するように構成された受信機と、
無線通信ネットワークを介してサーバと通信するように構成された送受信機とを含み、
前記装置は、前記装置から前記サーバへ送信された、前記装置が待機状態から起動する周期及び起動状態にある継続期間に従って、前記無線通信ネットワーク上で前記サーバと情報を交換するために、前記サーバと同期して、待機状態から起動状態へ移行し及び該起動状態から該待機状態へ移行するように構成され、
前記情報は、前記受信された信号に少なくとも部分的に基づくロケーション情報を含むことを特徴とする装置。
【請求項２】
装置において、
１又は複数の送信機からの信号を受信するように構成された受信機と、
無線通信ネットワークを介してサーバと通信するように構成された送受信機とを含み、
前記装置は、前記装置と前記サーバとの間で共有された、前記装置の状況に基づいて決定された前記装置が待機状態から起動する周期及び起動状態にある継続時間に従って、前記無線通信ネットワーク上で前記サーバと情報を交換するために、前記サーバと同期して、待機状態から起動状態へ移行し及び該起動状態から該待機状態へ移行するように構成され、
前記情報は、前記受信された信号に少なくとも部分的に基づくロケーション情報を含むことを特徴とする装置。
【請求項３】
前記装置は、ショートメッセージサービス（ＳＭＳ）を用いて、前記情報を双方向交換するように構成されたことを特徴とする請求項１または２に記載の装置。
【請求項４】
前記ロケーション情報は、前記受信された信号に少なくとも部分的に基づいて決定された、擬似距離測定値を含むことを特徴とする請求項１または２に記載の装置。
【請求項５】
前記情報は、衛星測位システム（ＳＰＳ）に関連するアルマナック情報（almanac information）及びエフェメリス情報（ephemeris information）から本質的に成るグループから選択された情報を更に含むことを特徴とする請求項４に記載の装置。
【請求項６】
前記送受信機は、符号分割多元接続プロトコルに従って、前記無線通信ネットワークへ情報を送信し、又は、前記無線通信ネットワークから情報を受信し、又は、それらの両方をするように構成されたことを特徴とする請求項１または２に記載の装置。
【請求項７】
前記装置は、予め定められたスケジュールに従って、前記待機状態から起動するように構成されたことを特徴とする請求項１または２に記載の装置。
【請求項８】
前記情報は、前記サーバから前記装置へ発行されたコマンドを更に含むことを特徴とする請求項１または２に記載の装置。
【請求項９】
前記情報は、前記受信された信号に少なくとも部分的に基づく前記装置のロケーションの推定を含むことを特徴とする請求項１または２に記載の装置。
【請求項１０】
前記装置は、前記無線通信ネットワークを介して、前記サーバへ環境センサデータを送信するように更に構成されたことを特徴とする請求項１または２に記載の装置。
【請求項１１】
受信機で信号を受信することと、
第１の装置を、前記第１の装置から第２の装置へ送信された、前記第１の装置が待機状態から起動する周期及び起動状態にある継続期間に従って、無線通信ネットワーク上で前記第２の装置と情報を交換するために、前記第２の装置に同期して、待機状態から起動状態へ移行させ及び該起動状態から該待機状態へ移行させることを含み、
前記情報は、前記受信された信号に少なくとも部分的に基づくロケーション情報を含むことを特徴とする方法。
【請求項１２】
受信機で信号を受信することと、
第１の装置を、前記第１の装置と第２の装置との間で共有された、前記第１の装置の状況に基づいて決定された前記第１の装置が待機状態から起動する周期及び起動状態にある継続時間に従って、無線通信ネットワーク上で前記第２の装置と情報を交換するために、前記第２の装置に同期して、待機状態から起動状態へ移行させ及び該起動状態から該待機状態へ移行させることを含み、
前記情報は、前記受信された信号に少なくとも部分的に基づくロケーション情報を含むことを特徴とする方法。
【請求項１３】
ショートメッセージサービス（ＳＭＳ）を用いて、前記情報を交換することを更に含むことを特徴とする請求項１１または１２に記載の方法。
【請求項１４】
前記ロケーション情報は、前記受信された信号に少なくとも部分的に基づいて決定された、擬似距離測定値を含むことを特徴とする請求項１１または１２に記載の方法。
【請求項１５】
前記情報は、衛星測位システム（ＳＰＳ）に関連するアルマナック情報及びエフェメリス情報から本質的に成るグループから選択された情報を更に含むことを特徴とする請求項１４に記載の方法。
【請求項１６】
前記情報は、符号分割多元接続プロトコルに従って、前記無線通信ネットワークへ送信され、又は、前記無線通信ネットワークから受信され、又は、それらの両方をされることを特徴とする請求項１１または１２に記載の方法。
【請求項１７】
前記第１の装置を待機状態から前記間欠的に起動することは、予め定められたスケジュールに従って、前記待機状態から前記第１の装置を起動することを含むことを特徴とする請求項１１または１２に記載の方法。
【請求項１８】
前記情報は、前記第２の装置から前記第１の装置へ発行されたコマンドを更に含むことを特徴とする請求項１１または１２に記載の方法。
【請求項１９】
前記情報は、前記受信された信号に少なくとも部分的に基づく前記第１の装置のロケーションの推定を含むことを特徴とする請求項１１または１２に記載の方法。
【請求項２０】
前記第１の装置は、前記無線通信ネットワークを介して、前記第２の装置へ環境センサデータを送信するように更に構成されたことを特徴とする請求項１１または１２に記載の方法。
【請求項２１】
記憶媒体に記憶された機械読み取り可能なプログラムであって、プロセッサにより実行された場合に、前記プロセッサに、
受信機で受信された信号を処理させ、
第１の装置を、前記第１の装置から第２の装置へ送信された、前記第１の装置が待機状態から起動する周期及び起動状態にある継続期間に従って、無線通信ネットワーク上で前記第２の装置と情報を交換するために、前記第２の装置に同期して、待機状態から起動状態へ移行させ及び該起動状態から該待機状態へ移行させる、
ように構成され、
前記情報は、前記処理された信号に少なくとも部分的に基づくロケーション情報を含むことを特徴とするプログラム。
【請求項２２】
記憶媒体に記憶された機械読み取り可能なプログラムであって、プロセッサにより実行された場合に、前記プロセッサに、
受信機で受信された信号を処理させ、
第１の装置を、前記第１の装置と第２の装置との間で共有された、前記第１の装置の状況に基づいて決定された前記第１の装置が待機状態から起動する周期及び起動状態にある継続時間に従って、無線通信ネットワーク上で前記第２の装置と情報を交換するために、前記第２の装置に同期して、待機状態から起動状態へ移行させ及び該起動状態から該待機状態へ移行させる、
ように構成され、
前記情報は、前記処理された信号に少なくとも部分的に基づくロケーション情報を含むことを特徴とするプログラム。
【請求項２３】
前記プログラムは、前記プロセッサにより実行された場合に、前記プロセッサに、予め定められたスケジュールに従って、前記待機状態から前記第１の装置を起動させるように更に構成されたことを特徴とする請求項２１または２２に記載のプログラム。
【請求項２４】
前記プログラムは、前記プロセッサにより実行された場合に、前記プロセッサに、ショートメッセージサービス（ＳＭＳ）を用いて、前記情報の交換を開始させるように更に構成されたことを特徴とする請求項２１または２２に記載のプログラム。
【請求項２５】
前記ロケーション情報は、前記受信された信号に少なくとも部分的に基づいて決定された、擬似距離測定値を含むことを請求項２１または２２に記載のプログラム。
【請求項２６】
受信機で受信された信号を処理するための手段と、
第１の装置を、前記第１の装置から第２の装置へ送信された、前記第１の装置が待機状態から起動する周期及び起動状態にある継続期間に従って、無線通信ネットワーク上で前記第２の装置と情報を交換するために、前記第２の装置に同期して、待機状態から起動状態へ移行させ及び該起動状態から該待機状態へ移行させるための手段とを含み、
前記情報は、前記処理された信号に少なくとも部分的に基づくロケーション情報を含むことを特徴とする装置。
【請求項２７】
受信機で受信された信号を処理するための手段と、
第１の装置を、前記第１の装置と第２の装置との間で共有された、前記第１の装置の状況に基づいて決定された前記第１の装置が待機状態から起動する周期及び起動状態にある継続時間に従って、無線通信ネットワーク上で前記第２の装置と情報を交換するために、前記第２の装置に同期して、待機状態から起動状態へ移行させ及び該起動状態から該待機状態へ移行させるための手段とを含み、
前記情報は、前記処理された信号に少なくとも部分的に基づくロケーション情報を含むことを特徴とする装置。
【請求項２８】
前記第１の装置を待機状態から前記間欠的に起動させるための手段は、予め定められたスケジュールに従って、前記待機状態から前記第１の装置を起動するための手段を更に含むことを特徴とする請求項２６または２７に記載の装置。
【請求項２９】
ショートメッセージサービス（ＳＭＳ）を用いて、前記第２の装置との前記情報の交換を開始するための手段とを更に含むことを特徴とする請求項２６または２７に記載の装置。
【請求項３０】
前記ロケーション情報は、前記受信された信号に少なくとも部分的に基づいて決定された、擬似距離測定値を含むことを特徴とする請求項２６または２７に記載の装置。
【発明の詳細な説明】
【技術分野】
【０００１】
（関連出願の相互参照）
この出願は、２００７年１月３１日付け提出された米国仮出願第６０／８８７，５３６号及び２００７年１月２６日付け提出された米国仮出願第６０／８８６，９０４号の３５ＵＳＣ § １１９ （ｅ）に基づく優先権の利益を主張する。それらは、参照によって本明細書に組み込まれる。また、この出願は、一部継続出願であり、２００７年６月２０日付け提出された米国仮出願第１１／７６６，０６８号の優先権の利益を主張する。それは、参照によって本明細書に組み込まれる。
【０００２】
本明細書で開示される主題は、低デューティーサイクル・デバイスを含む通信システム及びネットワークに関する。
【背景技術】
【０００３】
オペレーションの遠隔監視としては、オペレーション状態情報を監視して、遠隔に位置する情報処理装置にオペレーション状態情報を送信する、低電力の及び／又はバッテリー駆動の（battery-operated）無線通信デバイスの使用を挙げることができる。ここで、例えば、上記オペレーション状態は、ショートメッセージ（short messages）として、無線周波数信号によって送信されても良い。省電力消費の技術を使用する通信装置は、その通信装置がバッテリー残量（battery power）を節約するためにスリープモードにある場合に、遠隔に位置する情報処理装置と通信できないことがある。
【発明の概要】
【０００４】
一つの特定の実装において、第１のデバイスは、無線通信ネットワークと通信できるようにするために、待機状態（hibernating state）から期間において（in periods）起動する（awaken）ように構成（adapted）される。上記期間に同期することによって、第２のデバイスは、上記期間中での無線通信ネットワークにおける第１のデバイスへの情報の伝送をスケジュールしても良い。しかしながら、これは単に一つの例である実装に過ぎず、クレームされる主題はこの特定の実装に限定されるものではないことは、理解されるべきである。
【０００５】
以下の図面を参照して限定的でなく且つ包括的でない（Non-limiting and non-exhaustive features）特徴が説明される。ここで、各種の図を通じて同様の参照数字は同様の部分を指す。
【図面の簡単な説明】
【０００６】
【図１】図１は、一つの態様に従った、１又は複数の通信端末と通信するように構成された通信ネットワークの概略図である。
【図２】図２は、一つの実装に従った、通信プロトコルスタックを説明する概略図である。
【図３】図３は、一つの態様に従った、コールフローを説明する図である。
【図４】図４は、他の態様に従った、コールフローを説明する図である。
【図５】図５は、一つの実装に従った、無線ネットワークと通信可能なデバイスの概略図である。
【図６】図６は、特定の実装に従った、無線通信リンクにおいて伝送されるメッセージに関して待機状態（hibernating state）からデバイスを起動（awakening）するスケジューリングの同期を説明する図である。
【詳細な説明】
【０００７】
この明細書を通じて“一つの例（one example）”、“一つの特徴（one feature）”、 “一つの例（an example）”又は“一つの特徴（one feature）”への言及は、その特徴及び／又は例に関連して説明される特定の特徴（feature）、構造（structure）又は特性（characteristic）が、クレームされる主題（subject matter）の少なくとも一つの特徴及び／又は例に含まれることを意味する。それゆえ、この明細書を通じて、様々な箇所におけるフレーズ“一つの例において（in one example）”、“一つの例（an example）”、“一つの特徴において（in one feature）”又は“一つの特徴（a feature）”の出現は、必ずしも同一の特徴及び／又は例をすべて指すというわけではない。さらに、特定の特徴、構造、又は特性は、１又は複数の例及び／又は特徴において結合され得る。
【０００８】
本明細書で説明される方法論は、特定の特徴及び／又は例に従ったアプリケーションに応じて様々な手段により実施されても良い。例えば、上記方法論は、ハードウェア、ファームウェア、ソフトウェア、及び／又はそれらの組み合わせにより実装されても良い。ハードウェア実装において、例えば、処理ユニットは、１又は複数の特定用途向けＩＣ（ＡＳＩＣ）、デジタル信号プロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明される機能を実行するようにデザインされた他のデバイスユニット、及び／又はそれらの組み合わせの中に実装されても良い。
【０００９】
本明細書で説明されるロケーション決定及び／又は推定（Location determination and／or estimation）は、例えば、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などのような、様々な無線通信ネットワークに用いられても良い。用語“ネットワーク（network）”及び“システム（system）”は、本明細書で互換的に使用される場合がある。ＷＷＡＮは、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどを含んでも良い。ＣＤＭＡネットワークは、いくつか無線技術の例を挙げると、例えば、ｃｄｍａ２０００、ワイドバンドＣＤＭＡ（Ｗ−ＣＤＭＡ）のような、１又は複数の無線アクセス技術（radio access technologies）（ＲＡＴ）を含んでも良い。ここで、ｃｄｍａ２０００は、例えば、ＩＳ−９５、ＩＳ−２０００、及びＩＳ−８５６標準に従って実装される技術を含んでも良い。ＴＤＭＡネットワークは、グローバル移動体通信システム（Global System for Mobile Communications）（ＧＳＭ（登録商標））、デジタル先端移動電話システム（Digital Advanced Mobile Phone System）（Ｄ−ＡＭＰＳ）、又は他の何らかのＲＡＴを実装しても良い。ＧＳＭ及びＷ−ＣＤＭＡは、“第３世代パートナーシッププロジェクト（3rd Generation Partnership Project）” （３ＧＰＰ）という名前の団体からのドキュメントに記載されている。Ｃｄｍａ２０００は、“第３世代パートナーシッププロジェクト２（3rd Generation Partnership Project 2）” （３ＧＰＰ２）という名前の団体からのドキュメントに記載されている。３ＧＰＰ及び３ＧＰＰ２のドキュメントは、公的に入手可能である。例えば、ＷＬＡＮは、ＩＥＥＥ ８０２．１１ｘネットワークを含んでも良く、また、ＷＰＡＮは、Ｂｌｕｅｔｏｏｔｈ（登録商標）ネットワーク、ＩＥＥＥ ８０２．１５ｘを含んでも良い。本明細書で説明される上記ロケーション決定技術はまた、ＷＷＡＮ、ＷＬＡＮ及び／又はＷＰＡＮの任意の組み合わせについて用いられても良い。
【００１０】
一つの例に従って、デバイス及び／又はシステムは、ＳＶ群から受信される信号に少なくとも部分的に基づいて、そのロケーションを推定しても良い。特に、そのようなデバイス及び／又はシステムは、関連する諸ＳＶと航法衛星用受信機（navigation satellite receiver）との間の諸距離の近似値（approximations）を含む“擬似距離（pseudorange）”測定値（measurements）を得ても良い。特定の例において、そのような擬似距離は、衛星測位システム（Satellite Positioning System）（ＳＰＳ）の一部である１又は複数のＳＶからの信号を処理できる受信機で決定されても良い。そのロケーションを決定するために、衛星航法用受信機（satellite navigation receiver）は、送信時の３つ又はそれ以上の衛星のポジション（positions）に加えて、それら衛星に対する擬似距離測定値を得ても良い。
【００１１】
本明細書で説明される技術は、様々なＳＰＳのうちのいずれか一つとともに用いられても良い。さらに、上記技術は、擬似衛星を又は衛星と擬似衛星の組み合わせを利用するポジション決定システムとともに使用されても良い。擬似衛星は、時間に同期できるＬバンド（又は、他の周波数）のキャリア信号上に変調されたＰＮコード又は（例えば、ＧＰＳ又はＣＤＭＡセルラー信号に類似する）他のレンジングコード（ranging code）をブロードキャストする地上送信機（ground-based transmitters）を含んでも良い。そのような送信機は、遠隔受信機（remote receiver）による識別を可能にするように、固有のＰＮコードを割り当てられても良い。擬似衛星は、例えば、トンネル、採掘坑（mines）、ビル、ビルの谷間（urban canyons）、又は他の囲まれた区域のような、周回軌道衛星（orbiting satellite might）からのＧＰＳ信号が利用できないおそれのある状況において有用である。擬似衛星の他の実装は、ラジオビーコンとして知られている。本明細書で使用される用語“衛星（satellite）”は、擬似衛星、擬似衛星に相当するもの、及び、場合によっては他のものを含むことが意図されている。本明細書で使用される“ＳＰＳ信号（ＳＰＳ signals）”は、擬似衛星又は擬似衛星に相当するものからのＳＰＳのような信号を含むことが意図されている。
【００１２】
一つの特定の実装において、デバイスは、１又は複数の送信機から信号を受信するように構成（adapted）できる航法用受信機（navigation receiver）を含んでも良い。それら信号は、その航法用受信機（navigation receiver）のロケーションを示すものであっても良い。そのデバイスは、例えば無線通信ネットワークを介したサーバのような他のデバイスと通信するように構成された、送受信機をさらに含んでも良い。一つの態様において、そのデバイスは、該無線通信ネットワークを介してロケーションサーバと情報を交換するために、そのロケーションサーバと同期して、待機された状態又は待機している状態（hibernated or hibernating state）から間欠的に（intermittently）起動しても良い。しかしながら、これは、単に特定の実装の一つの例に過ぎず、クレームされた主題がこの態様に制限されるものではない。
【００１３】
待機状態（hibernating state）にある間、デバイスは、低減された電力及び削減された機能性で動作しても良い。一つの特定の例では、デバイスは、待機状態において、無線通信ネットワークにおいて送信された信号を受信及び／又は処理できなくても良い。他の実装では、デバイスは、待機状態において、待機サイクル（hibernation cycles）及び／又は同種のものの継続時間をトラッキングするための及び待機状態からのそのデバイスの起動を開始するためのタイミング機構に（timing feature）、十分に電力を供給しても良い。ロケーションサーバと同期して待機状態（hibernated state）から間欠的に起動することによって、デバイスは、無線通信ネットワークから信号を受信するために常に全電力状態にあることなく、双方向の通信チャネルを介してサーバからダウンリンク通信チャネルにおける情報を受信できる。
【００１４】
図１は、一つの態様に従った、１又は複数の通信端末と通信するように構成された通信ネットワークの概略図である。ここで、諸端末１０２は、そのロケーションに関して情報を得るように構成された様々なデバイスのうちのいずれか一つを含んでも良い。ここで、端末１０２は、いくつか例を挙げると、例えば、衣類、ペットの首輪、携帯電話、キーホールダー（key ring）、運送用コンテナ（shipping container）、又は、運搬用車両（transportation vehicle）のような、様々な低電力デバイスのうちのいずれか一つを含んでも良い。ここで、上記デバイスは、バッテリー寿命（battery life）を維持し又は延ばすための省電力モードで動作できるバッテリー電力駆動（battery powered）のデバイスを含んでも良い。端末１０２は、いくつか例を挙げると、例えば、資産管理（asset tracking）、自動メータ読み取り、パーキングメーターのキャッシュレス料金決済（cashless payment）、交通信号灯及びセンサ、広告版及び公共のディスプレイ（billboards and public displays）、リアルタイム健康管理、ホーム／オフィスセキュリティ及びアラームシステム、自動車テレマティックス、ユーティリティ配電及び送電監視（utility distribution and grid monitoring）、ポジション／ロケーションモニタリング、及び／又は、ポーリングアプリケーションを含む、様々なアプリケーションのうちのいずれか一つにおいて使用されても良い。
【００１５】
一つの実装において、端末１０２は、センター（center）１１０及び／又はアプリケーションサーバ（application server）１１４と通信するように構成（configured）されても良い。ここで、センター１１０は、例えば、第１の通信ネットワークにおけるデバイスと第２の通信ネットワークにおけるデバイスとの間のメッセージの伝送を容易に（facilitate）するように構成された通信サーバのような、様々なデバイス及び／又はプロセスのいずれか一つを含んでも良い。一つの態様において、端末１０２は、関連する移動通信制御局（mobile switching center）及び／又は基地局サブシステム（base station subsystem）（ＭＳＣ／ＢＳＳ）１０４との無線通信リンクのアップリンク部分を通じて、センター１１０及び／又はアプリケーションサーバ１１４へ情報を送信しても良い。一つの特定の実装において、そのような無線通信リンクのアップリック部分は、登録リクエスト、コールセットアップリクエスト、ページレスポンス、オーダーレスポンス、及び／又は、システムプロトコルにより要求され得る他の情報の伝送に用いられるアクセスチャネルを含んでも良い。アップリンク部分においてセンター１１０及び／又はアプリケーションサーバ１１４へ送信される情報は、例えば、端末１０２と同一場所に設置された（co-located）１又は複数のデバイスに関する状態情報、センサデータ、ロケーション情報、バッテリー状態、及び／又は同種のものを含んでも良い。この文脈において、“ロケーション情報（location information）”は、例えば端末１０２のロケーションの推定のようなロケーションを記述し得る情報、及び／又は、そのような推定の計算において使用され得る情報を指す。
【００１６】
また、センター１１０及び／又はアプリケーションサーバ１１４は、関連するＭＳＣ／ＢＳＳ１０４との無線通信リンクのダウンリンク部分を介して、端末１０２へ情報を送信しても良い。一つの特定の実装において、そのような無線通信リンクのダウンリンク部分は、初期システム捕捉（initial system acquisition）のためのビーコン機能性を提供するパイロットチャネル、システム捕捉で要求されるシステムパラメータを運ぶための同期チャネル、並びに、オーバーヘッドメッセージ、ページ、セットアップメッセージ及びオーダーを運ぶために用いられるページングチャネルを含んでも良い。ダウンリンク部分において端末１０２へ送信される情報は、例えば、端末１０２と同一場所に設置された（co-located）１又は複数のデバイスを制御するための情報、端末１０２を制御及び／又は設定（configure）するためのコマンド、及び／又は、同種のものを含んでも良い。以下で説明されるように、端末１０２は、予め定められたサイクル（cycle）のインターバル（interval）で、時々、待機（from time to time hibernate）しても良い。特定の実装において、そのような端末１０２を制御及び／又は設定するためのそのようなコマンドは、そのような予め定められたサイクルの待機間隔（hibernation interval）を変更するためのコマンドを含んでも良い。
【００１７】
特定の実装において、センター１１０は、ショートメッセージシステム（short message system）（ＳＭＳ）プロトコルに従って、端末１０２と通信しても良い。ここで、例えば、ＳＭＳプロトコルに従ったセンター１１０と端末１０２との間のそのようなメッセージの伝送は、メッセージセンター（message center）（ＭＣ）１０６及び／又はモバイルポジショニングセンター（mobile positioning center）１０８により容易にされても良い。情報は、例えば、任意のインターネットプロトコル・インフラストラクチャー上のＴＣＰ／ＩＰのような、様々な通信プロトコル及びネットワーク通信インフラストラクチャーのうちのいずれか一つを用いて、センター１１０と、関連するアプリケーションサーバ１１４との間で送信されても良い。ここで、端末１０２、センター１１０及びアプリケーションサーバ１１４のためのプロトコルスタックの一つの例である実装は、それぞれ、図２においてプロトコルスタック２０２、２１０及び２１４として示される。少なくとも一つの実装において、レイテンシーを低減するために、センター１１０は、ショートメッセージ配送ポイントツーポイント伝達サービス（short message delivery point-to-point bearer service）（ＳＭＤＰＰ）に従って、ＭＳＣ／ＢＳＳ１０４と直接通信するように構成されても良い。しかしながら、これらは、単に、端末、センター及び／又はアプリケーションサーバが、プロトコルスタックの特定の実装を用いて、どのようにして互いに通信するかの例に過ぎず、クレームされた主題は、これらの態様に制限されるものではない。
【００１８】
一つの態様において、端末１０２は、様々な技術のうちのいずれか一つを用いて該端末１０２のロケーションの推定の計算に使用される情報を収集できる１又は複数のデバイスを含んでも良い。一つの実装において、端末１０２に付随する受信機（図示せず）で受信された無線周波数（ＲＦ）信号が、当業者に知られている技術を用いて該端末１０２のロケーションの推定を計算するために用いられても良い。上記信号は、例えば、ＳＰＳ信号を含んでも良い。ここで、そのような受信されたＳＰＳ信号は、例えば、ロケーションの推定の計算に使用され得る擬似距離測定値を決定するために使用されても良い。他の実装において、そのような受信信号はまた、例えばＷＬＡＮ、ＷＰＡＮ及び／又はＷＷＡＮにおけるデバイス上の送信機のような地上送信機（terrestrial transmitters）から受信された信号を含んでも良い。例えば、信号強度、メディアアクセス制御（ＭＡＣ）アドレス、及び／又は同種のもののような、これら信号からの特性（Characteristics）はまた、ロケーションの推定の計算に用いられても良い。
【００１９】
一つの例において、端末１０２に付随するデバイス（図示せず）は、既知の技術を用いてそのデバイスで受信されるＳＰＳ信号に少なくとも部分的に基づいて、送信機への擬似距離測定値を取得できるものであっても良いが、クレームされた主題は、この態様に制限されるものではない。ここで、そのようなデバイスは、例えばポジション決定エンティティであるＰＤＥ１１２及び／又はモバイルポジショニングセンター（mobile positioning center）／ＰＤＥ（ＭＰＣ／ＰＤＥ）１０８のような他のデバイスからの捕捉支援情報（acquisition assistance information）を受信可能であっても良い。一つの特定の実装において、そのようなデバイスは、さらに、受信されたＳＰＳ信号から得られる上記擬似距離測定値に少なくとも部分的に基づいて、そのロケーションを推定可能であっても良い。代わりに、端末１０２は、上記擬似距離測定値及び／又は受信信号から得られる他の情報を、ＭＳＣ／ＢＳＳ１０４とのアップリンクを介して、端末１０２のロケーションの推定が計算できるような宛先に対して、転送しても良い。例えば、アプリケーションサーバ１１４及び／又はＰＤＥ１１２は、擬似距離測定値及び／又は端末１０２から受信される他の情報に少なくとも部分的に基づいて、端末１０２のロケーションを決定しても良い。しかしながら、これは、単に、特定の実装に従って、デバイスのロケーションがどのように推定され得るかの一つの例に過ぎず、クレームされた主題は、この態様に制限されるものではないことは、理解されるべきである。
【００２０】
図３は、一つの態様に従った、端末に対するイミディエイト・シグナル・リクエスト（immediate signal request）のためのコールフロー３００を説明する図である。ここで、イベント３１６において、アプリケーションサーバ３１４は、例えば端末３０２に関連する固有の識別子を含む、端末３０２へのロケーション・イミディエイト・リクエスト（location immediate request）（ＬＩＲ）メッセージを開始（initiate）しても良い。ＬＩＲメッセージに応答して、イベント３１８では、センター３１０は、端末３０２へのロケーション情報を要求するコールにおいてポジション・リクエスト・メッセージ（position request message）（ＰＲＭ）を開始しても良い。ＰＲＭに応答して、イベント３２０では、端末３０２は、例えば、端末３０２で自立的に計算された）端末３０２のロケーションの推定及び／又はそのような推定の計算において使用され得る情報（例えば、擬似距離測定値及び／又は端末３０２にて受信された情報に少なくとも部分的に基づく他の測定値）のような情報を含むメッセージを応答しても良い。
【００２１】
イベント３２６では、センター３１０は、アプリケーションサーバ３１４へ、端末３０２のロケーションの推定であって例えば該推定に関係する不確かさ（uncertainty）を示す情報を含むものを返しても良い。一つの代わりの方法において、センター３１０が、イベント３２０にて、応答メッセージを受信した場合に、イベント３２２にて、端末３０２のロケーションの推定の計算結果を要求するために、ＰＤＥ３１２をコールしても良い。ここで、そのようなＰＤＥ３１２に対するコールは、例えば、端末３０２のロケーションの推定で使用され得る情報の提供に使用され得る、イベント３２０で受信された情報を含んでも良い。上記情報に少なくとも部分的に基づいて、ＰＤＥ３１２は、端末３０２のロケーションの推定を、該推定の不確かさの量(measure）とともに、計算し、イベント３２４にて、センター３１０からの該コールに応答して、それらを含むメッセージをセンター３１０へ送信しても良い。特定の実装において、ＰＤＥ３１２及びセンター３１０は、例えば、ＳｎａｐＴｒａｃｋ（登録商標）アプリケーション・プログラム・インタフェース（ＳＮＡＰＩ）に従って実装されたプロトコルのような、様々な通信プロトコルのうちのいずれか一つに従って、通信しても良いが、クレームされた主題は、この態様に限定されるものではない。
【００２２】
図４は、他の態様に従った、端末に対するイミディエイト・シグナル・リクエスト（immediate signal request）のためのコールフロー４００を説明する図である。ここで、アプリケーションサーバ４１４は、図３を参照しながら詳述されたように、イベント４１６にて、ＭＬＰメッセージを送信しても良い。しかしながら、この特定の例において、イベント４１６にて送信されたＭＬＰメッセージはまた、“レポーティング基準（reporting criteria）”を示しても良い。一つの例において、上記レポーティング基準は、端末４０２に関係する時々更新されるロケーション情報を要求するコマンドを含んでいても良い。ここで、端末４０２は、例えば、双方向の無線通信リンク上でのコールにて端末４０２がセンター４１０と通信し得る時間帯（times）を示す“デューティーサイクル（duty cycle）”を持つように、設定（configured）及び／又はプログラムされていても良い。そのようなデューティーサイクルを知った上で、イベント４２０で、センター４１０は、例えば、特定のアプリケーション、ＱｏＳ、レポーティング基準、及び／又は同種のものに少なくとも部分的に基づいて用いられる（例えば、支援される又は支援されない）べき特定のポジション推定モードを指定（specifying）する情報を含むＰＲＭを、適切な時期に、端末４０２へ送信しても良い。ここで、上記レポーティング基準は、例えば、端末４０２に関してロケーション情報を提供するためのフォーマット及び／又は周波数を含んでも良い。したがって、イベント４２２〜４２８でのそのような情報の提供の初回サイクルに続いて、端末４０２は、例えば、イベント４３０〜４３６により示されるように、時々、そのような情報の更新を提供しても良い。
【００２３】
特定の例を使った上記の説明のように、端末１０２は、無線通信リンクを含む双方向通信リンク上で、センター１１０と通信しても良い。アップリンク部分において、例えば、端末１０２は、例えば、状態情報及び／又は端末１０２のロケーションに関係する情報のような情報を送信しても良い。そして、そのような情報は、例えば、アプリケーションサーバ１１４へ転送されても良い。双方向通信リンクのダウンリンク部分において、センター１１０は、例えば、端末１０２に対するコンフィギュレーション・コマンドのような、情報を送信しても良い。しかしながら、上記の説明のように、端末１０２は、例えば電力を節約するために、時々、待機状態（hibernating state）になり得る低デューティーサイクル・デバイスを含んでも良い。したがって、特定の実装において、端末１０２は、双方向の無線通信リンクのダウンリンク部分において、センター１１０から送信される情報を受信できるようにするために、起動状態へ移行する必要があり得る。上記の説明のように、端末１０２は、例えば低デューティーサイクルとして、待機状態（hibernated state）から間欠的に起動するように構成されても良い。例えばＣＤＭＡネットワークのような特定の実装において、起動状態にある間、そのような端末１０２は、例えば、ページングチャネルを聞くこと、メッセージを受信すること、及び、メッセージを送信することのような、スロット（slotted）モードの動作を実行しても良い。そのようなものとして、起動状態にある間、端末１０２は、無線通信リンクのアップリンク部分上で、情報をセンター１１０へ送信し、及び／又は、関連するダウンリンク部分上で、センター１１０から情報を受信しても良い。一つの特定の実装において、そのような端末１０２は、関連するセンター１１０に同期して、そのような待機状態から起動するように適応（adapted）及び／又は構成（configured）されても良いが、クレームされた主題は、この態様に限定されるものではない。そのようなものとして、端末１０２が待機状態から起動され、無線通信リンクのダウンリンク部分上で情報を受信可能である間に、関連するセンター１１０は、情報を端末１０２へ送信しても良い。
【００２４】
一つの実装において、端末１０２は、例えば、近隣のＭＳＣ／ＢＳＳ１０４からの信号を取得すること、及び、ＣＤＭＡネットワークに接続するデバイスを登録するために用いられる技術に類似する技術を用いて情報を交換することによって、無線通信ネットワークに登録しても良い。そのような登録の一部として、端末１０２は、例えば、識別情報、例えばバッテリー容量及び残りのバッテリー寿命のような端末１０２の特定の性能（capabilities）を示す情報、待機デューティーサイクルを指定する情報（例えば、連続する起動（wake ups）の間の時間ＴHI及び／又は任意の一つのサイクルにおける起動状態にある継続時間）のような、属性を示しても良い。一つの特定の例において、バッテリー容量及び残りのバッテリー寿命を特定する上記情報は、アプリケーションサーバ１１４が、そのバッテリーが弱いとき又は低容量を有するときに、端末１０２に関する適切な待機間隔を計算すること、及び／又は、起動状態にある端末１０２に関する起動イベント間の適切な時間及び継続時間インターバルに従って端末１０２を設定することを、可能にしても良い。上記情報はまた、そのバッテリーの残量が少なくなっていること及びそのバッテリーが交換又は再充電が必要であることをリモートユーザに通知する、そのリモートユーザへのメッセージ（例えば、ＳＭＳメッセージを経て）を、始動（triggering）させるために用いられても良い。
【００２５】
一つの実装において、登録に続いて、端末１０２は、通信リンクのダウンリンク部分からメッセージを受信するために、定義された継続時間について、起動状態ではなくアイドル状態に置かれても良い。この継続時間の間、例えば、センター１１０は、登録された端末１０２に宛てられ、且つ、登録に先立って、センター１１０で（例えば、アプリケーションサーバ１１４から）受信された、保留（pending）しているメッセージを、転送しても良い。
【００２６】
他の実装において、端末１０２のそのネットワークへの登録に応答して、センター１１０は、コンフィギュレーション・メッセージを、登録された端末１０２へ送信しても良い。上記コンフィギュレーション・メッセージは、例えば、ＴBEGIN（端末１０２が非応答型のメッセージングを始める（begin）ことが許される時刻）及び／又はＴEND（それ以降は端末１０２がそれ以上のメッセージを送信することが許されない時刻）のような情報を含んでも良い。従って、ＴHI、ＴBEGIN及びＴENDを知った上で、起動状態における端末１０２の期間は、上記で指摘されたように、ダウンリンクメッセージを受信するために、センター１１０に同期されても良い。端末１０２が起動状態にある上記期間中に、例えば、センター１１０は、保留メッセージ及び／又は（例えば、アプリケーションサーバ１１４から）端末１０２へ宛てられたコマンドを含むメッセージを、無線通信リンクのダウンリンク部分において転送しても良い。
【００２７】
更に他の実装において、端末１０２は、該端末１０２がその間にダウンリンクメッセージを受信し得る継続時間について、その端末が起動状態にあることを示すために、スケジュールされておらず且つ非応答型のメッセージを、センター１１０へ送信しても良い。上記非応答型のメッセージに応答して、センター１１０は、上記の説明のように、端末１０２に宛てられた保留メッセージを探し取得して、無線通信リンクのダウンリンク部分においてそれらメッセージを転送しても良い。
【００２８】
一つの例において、端末１０２は、センター１１０との同期化を失うことがある。一つの特定の実装において、端末１０２は、インターバルを置いて、センターへ“生存確認（keep alive）”メッセージを送信するように構成されても良い。ここで、上記生存確認メッセージは、例えば、登録メッセージにおいて提供される情報のような情報を含んでも良い。
【００２９】
特定の実装において、センター１１０は、端末１０２への伝送のためのメッセージをスケジュールしても良い。例えば、センター１１０は、受信者である端末１０２が起動状態にあり且つ無線通信リンクのダウンリンク部分からメッセージを受信できる期間中に、関連するＭＳＣ／ＢＳＳ１０４を介した伝送を可能にするデータ構造に、端末へ宛てられたメッセージを記憶しても良い。センター１１０は、規則正しい（regular）スケジューリングインターバルにおいて、特定のＭＳＣ／ＢＳＳ１０４により転送されるダウンリンクメッセージをスケジュールしても良い。例えば、センター１１０は、端末１０２が起動状態になる次の期間中でのダウンリンクメッセージの伝送を同期するために、ＭＳＣ／ＢＳＳ１０４を介した端末１０２へのダウンリンクメッセージの伝送のための特定のスケジューリングインターバルを選択しても良い。従って、受信者である端末１０２は、ダウンリンクメッセージを受信するために、センター１１０と同期して、間欠的に待機状態（hibernating state）から起動するように構成されても良い。
【００３０】
一つの特定の実装において、センター１１０は、センター１１０からの上記メッセージの受信に続く、関連するＭＳＣ／ＢＳＳ１０４からのダウンリンクメッセージの伝送における平均遅延ＴＭＩＮ＿ＭＳＣ＿ＤＥＬＡＹに少なくとも部分的に基づいて、特定のスケジューリングインターバルにおける上記ダウンリンクメッセージをスケジュールしても良い。ここで、センター１１０は、例えば、（例えば、プロトコルスタック２１０における）適切なアプリケーション及び／又はトランスポートレイヤへメッセージを渡すことによって、端末１０２へのスケジュールされた転送に先立って、ＴＭＩＮ＿ＭＳＣ＿ＤＥＬＡＹにて、関連するＭＳＣ／ＢＳＳ１０４へメッセージを転送しても良い。
【００３１】
本明細書の他の箇所で説明されるように、端末１０２は、ＣＤＭＡプロトコルに従った無線通信リンクにおいて、関連するＭＳＣ／ＢＳＳと通信するように構成されても良い。この特定の実装において、上述のブートシーケンス及び登録に続いて、端末１０２は、次のように起動時刻（wake up time）が決定できるスロット（slotted）モードにおかれても良い。
【数１】
0005518941.tif 000002
【００３２】
WAKEUP_TIME ＝ ＴHI ＊ （CDMA_SYSTEM_TIME／ＴHI） ＋ ＴOFFSET 
（WAKEUP_TIME ≧ CDMA_SYSTEM_TIMEの場合）  
WAKEUP_TIME ＝ ＴHI ＊ （CDMA_SYSTEM_TIME／ＴHI） ＋ ＴOFFSET＋ ＴHI 
（WAKEUP_TIME ＜ CDMA_SYSTEM_TIMEの場合）  ここで、ＴＯＦＦＳＥＴは、ハッシュを用いて次のように決定できる。
【数２】
0005518941.tif 000003
【００３３】
Ｎは、（秒換算での）ＴHIの整数値表現、  
ＥＳＮは、３２ビット表現である。
【００３４】
一つの実装で用いられる同期スケジューリング６００は、図６において説明される。示されているのは、センター１１０及び端末１０２について説明するタイムラインである。単一のセンター１１０と単一の端末１０２との間のタイムラインを表現しており、また、特定の実装は、少なくとも一つのセンター１１０及び複数の端末１０２を提供しても良いことは、理解されるべきである。ＴBEGIN５１０に少なくとも部分的に基づいて決定される端末１０２のための起動時刻（wake up time）６０５は、ハッシュされたものであり、センター１１０と端末１０２との両方に知られている。センター１１０は、（例えば、ＡＳ１１４から）端末１０２への伝送のためのメッセージを受信している可能性があり、それらは、端末１０２に関係する宛先及び今後の伝送の時刻に従ってメモリ（図示せず）にソートされて保管されている。実質的には起動時刻６０５にて、センター１１０は、端末１０２への伝送のために保管されたメッセージを含むメッセージの、時刻６１５での伝送を、開始しても良い。上記メッセージは、端末１０２により、時刻６２０で受信される。すぐ応答する（responsive）メッセージは、センター１１０により、端末１０２から受信されても良い。時刻６１０での待機への移行の前に、端末１０２は、時刻６３２で受信されるセンター１１０への１又は複数のメッセージを送信しても良い。図６の特定の説明図において、時刻６１０での待機への移行に先立って、センター１１０による上記メッセージの受信が時刻６３２で起こる。しかしながら、他のシナリオにおいて、センター１１０は、実際には、上記端末１０２の待機への移行の後で、上記メッセージを受信する可能性があることは、理解されるべきである。上記メッセージは、例えば、オペレーション状態、バッテリー状態、ネットワーク情報、及びコンフィギュレーションデータの要求に関する情報を含むＫＡメッセージを含んでも良い。一つの実装において、ＴENDが起こり、端末１０２が待機状態にあるとみなされる後、センター１１０は、期間（time）６４０において、端末１０２が起動状態に移行する次の期間と同時に起こる、次の送信時刻で端末１０２へ伝送するための保留メッセージを選択しても良い。図６は、センター１１０がその間に伝送のために保留メッセージを選択し得る待機間隔として、ただ一つの期間６０４を示しているが、該センターが、複数の、上記待機時間のような時間にて、上記選択を行っても良いことは、理解されるべきである。実質的には時刻６４２での次の起動にて、センター１１０は、端末１０２への保留メッセージの伝送を開始しても良い。その後に、センター１１０は、時刻６５０で、端末１０２からのメッセージを受信する。時刻６３２で、センター１１０は、待機状態６５２に戻る前に残された時間に応じて、例えばＫＡメッセージのようなメッセージを、受信し続けても良い。他の実装において、時刻６１０及び６５２での待機状態と起動状態との間の移行は、端末１０２への伝送のためにセンター１１０により送受信されるメッセージの数及び種類に従って、動的に調整されても良い。例えば、保留しているメッセージの数が、時刻６１５又は６４５で送信される単一のＳＭＳメッセージにより運ばれるに��多過ぎる場合に、これらの時刻にて一部のみが送信されるであろう。時刻６３０及び６５０でメッセージを受信した場合には、センター１１０は、時刻６１０及び６５２での待機状態への移行を、リセット及び延長しても良い。そして、センター１１０は、同じように、保留しているメッセージの続きの部分及び／又は残りを送信（図示せず）しても良い。このプロセスは、端末１０２へ宛てられた保留メッセージのすべてがセンター１１０により送信されるまで、継続されても良い。
【００３５】
一つの特定の実装において、センター１１０と端末１０２との間の同期化及び／又はタイミングは、無線通信リンクにおけるアップリンク及びダウンリンクメッセージの伝送のタイミングから実質的に切り離されても良い。もう一度プロトコルスタック２０２及び２１０を参照して、一つの実装におけるセンター１１０と端末１０２との間の通信を説明すると、ＳＭＳメッセージは、アップリンク及びダウンリンクメッセージにおけるメッセージタイミングを意識することなく、センター１１０の通信レイヤと端末１０２の通信レイヤとの間で送信されても良い。一つの特定の実装において、ＳＭＳメッセージは、インターネットプロトコル・インフラストラクチャー上のデータパケットにて、メッセージセンター１０６とセンター１１０との間で送信されても良い。それゆえ、センター１１０は、メッセージ及び／又は端末１０２が待機する（hibernating）期間又は起動する（awake）期間を、端末１０２とＭＳＣ／ＢＳＳ１０４との間のアップリンク部分及びダウンリンク部分において送信されるメッセージのタイミングとは独立して、スケジュールしても良い。したがって、センター１１０は、携帯電話ネットワークから地理的に切り離され（decoupled）及び／又は隔てられ（removed）ても良く、また、端末１０２と通信するもの（party）による、より便利なアクセスのために、他の場所におかれても良い。
【００３６】
上記の一つの実装において、センター１１０は、端末１０２が任意の一つのサイクルにおける起動状態にある持続時間の長さを決定しても良い。センター１１０は、例えば、端末１０２へ送信される１又は複数のコンフィギュレーション・メッセージに上記持続時間を明記することによって、この持続時間をセットしても良い。他の実装において、センター１１０は、センター１１０から上記メッセージの受信に続く、関連するＭＳＣ／ＢＳＳ１０４からのダウンリンクメッセージの伝送における、平均遅延ＴＭＩＮ＿ＭＳＣ＿ＤＥＬＡＹに関係する不確かさに少なくとも部分的に基づいて上記持続時間を決定しても良い。ここで、例えば、ＴＭＩＮ＿ＭＳＣ＿ＤＥＬＡＹに関係する不確かさが増加する場合に、センター１１０は、端末１０２が受信メッセージのために起動状態にあろうことを保証する任意の一つのサイクルにおいて、端末１０２が起動状態にある持続時間を増加させても良い。同様に、ＴＭＩＮ＿ＭＳＣ＿ＤＥＬＡＹに関連する不確かさが減少する場合に、センター１１０は、この持続時間を減少させても良い。ここで、端末１０２が起動状態にある持続時間を減少することは、端末１０２の動作に電力を供給するバッテリーの寿命を増加させるのに有利であることは、理解されるべきである。
【００３７】
一つの実装において、ダウンリンクメッセージの伝送における平均遅延ＴＭＩＮ＿ＭＳＣ＿ＤＥＬＡＹは、往復のメッセージ時間（例えば、図６における、時刻６１５と時刻６３０との間の差、又は、時刻６４５と時刻６５０との間の差）に少なくとも部分的に基づいて決定されても良い。同様に、この伝送の実装の遅延における不確かさは、平均遅延ＴＭＩＮ＿ＭＳＣ＿ＤＥＬＡＹに関する分散から決定されても良い。
【００３８】
特定の実装において、図５に示されるように、端末１０２は、擬似距離測定値を決定するためにアンテナ１４１４で受信されたＳＰＳ信号を処理することができ且つアンテナ１４１０を介して無線通信ネットワークと通信できるデバイスを含む。ここで、無線送受信機１４０６は、例えばデータ、ボイス、及び／又はＳＭＳメッセージのようなベースバンド情報で、ＲＦキャリア信号を変調し、また、そのようなベースバンド情報を得るために、変調されたＲＦキャリアを復調するように、構成されても良い。アンテナ１４１０は、無線通信リンク上で、変調されたＲＦを送信し、また、無線通信リンク上で、変調されたＲＦを受信するように構成されても良い。
【００３９】
ベースバンドプロセッサ１４０８は、無線通信リンク上の伝送のために、ＣＰＵ１４０２から送受信機１４０５へベースバンド情報を供給するように構成されても良い。ここで、ＣＰＵ１４０２は、ローカルインターフェース１４１６から、例えば、環境センサデータ（environmental sensory data）、運動センサデータ（motion sensor data）、高度データ、（例えば、加速度計からの）加速度データ、他のネットワーク（例えば、ＺｉｇＢｅｅ（登録商標）、Ｂｌｕｅｔｏｏｔｈ、ＷｉＦｉ，ピアツーピア（peer-to-peer））への近接性を含み得る、上記ベースバンド情報を得ても良い。上記ベースバンド情報はまた、例えば、デバイス１４００のロケーションの推定のような、及び／又は、例えば擬似距離測定値といったものの計算に用いられる情報のような、ロケーション情報を含んでも良い。
【００４０】
ＳＰＳ受信機（ＳＰＳ Ｒｘ）１４１２は、諸ＳＶからの伝送を受信して復調し、復調された情報を相関器１４１８へ供給するように構成されても良い。相関器１４１８は、受信機１４１２により供給される情報から相関関数（correlation functions）を得ても良い。相関器１４１８はまた、送受信機１４０６により提供されるパイロット信号に関する情報から、パイロットに関係する相関関数を得るように構成されても良い。この情報は、無線通信ネットワークを捕捉するデバイスにより用いられても良い。
【００４１】
チャネル復号器１４２０は、ベースバンドプロセッサ１４０８から受信されるチャネルシンボルを、内在する（underlying）ソースビットへ復号化するように構成されても良い。チャネルシンボルが畳み込み符号化されたシンボルを含む一つの例において、上記チャネル復号器は、ビタビ復号器を含んでも良い。チャネルシンボルが畳み込み符号の直列又は並列の連結を含む第２の例において、チャネル復号器１４２０は、ターボ復号器を含んでも良い。
【００４２】
メモリ１４０４は、説明又は提案された１又は複数のプロセス、例、実装、又は、それらの例を実行するための実行ファイル（executable）である、機械読み取り可能なインストラクションを記憶するように構成されても良い。ＣＰＵ１４０２は、上記機械読み取り可能なインストラクションにアクセスし実行するように構成されても良い。しかしながら、これらは、単に、特定の態様においてＣＰＵにより実行されてもよいタスクの例に過ぎず、クレームされた主題は、これら態様に限定されるものではない。
【００４３】
ただいま例である特徴と考えられることが図解（illustrated）及び説明（described）されたが、クレームされた主題から逸脱することなく、様々な他の修正がなされても良く、また、同等のものが置き換えられて良いことは、当業者には理解されるであろう。加えて、本明細書で説明された主要な概念から逸脱することなく、クレームされた主題の技術に特定の状況を適用するために、多くの修正がなされても良い。したがって、クレームされた主題は、開示された特定の例に限定されるものではなく、当該クレームされた主題は、添付された特許請求の範囲内に含まれるすべての態様及びそれらと同等のものを含むことが意図されている。１又は複数のクレームは、特徴が要素／限定“Ａ”、若しくは、要素／限定“Ｂ”、又は、要素／限定“Ａ”と要素／限定“Ｂ”との両方を含み得ることを特定するために、“Ａ若しくはＢ、又はそれらの両方（Ａ or Ｂ， or both）”の形で当該特徴を列挙することがある。さらに、“Ａ若しくはＢ、又はそれらの両方（Ａ or Ｂ， or both）”の形で列挙された当該特徴は、要素／限定“Ａ”又は要素／限定“Ｂ”に加えた要素の存在を排除するものではない。 
以下に、本願出願の当初の特許請求の範囲に記載された各請求項に対応する発明を付記する。 
［１］装置において、 
１又は複数の送信機からの信号を受信するように構成された受信機と、 
無線通信ネットワークを介してサーバと通信するように構成された送受信機とを含み、 
前記装置は、前記無線通信ネットワーク上で前記サーバと情報を交換するために、前記サーバと同期して、待機状態から間欠的に起動するように構成され、 
前記情報は、前記受信された信号に少なくとも部分的に基づくロケーション情報を含むことを特徴とする装置。 
［２］前記装置は、ショートメッセージサービス（ＳＭＳ）を用いて、前記情報を双方向交換するように構成されたことを特徴とする［１］に記載の装置。 
［３］前記ロケーション情報は、前記受信された信号に少なくとも部分的に基づいて決定された、擬似距離測定値を含むことを特徴とする［１］に記載の装置。 
［４］前記情報は、衛星測位システム（ＳＰＳ）に関連するアルマナック情報（almanac information）及びエフェメリス情報（ephemeris information）から本質的に成るグループから選択された情報を更に含むことを特徴とする［３］に記載の装置。 
［５］前記送受信機は、符号分割多元接続プロトコルに従って、前記無線通信ネットワークへ情報を送信し、又は、前記無線通信ネットワークから情報を受信し、又は、それらの両方をするように構成されたことを特徴とする［１］に記載の装置。 
［６］前記装置は、予め定められたスケジュールに従って、前記待機状態から起動するように構成されたことを特徴とする［１］に記載の装置。 
［７］前記情報は、前記サーバから前記装置へ発行されたコマンドを更に含むことを特徴とする［１］に記載の装置。 
［８］前記情報は、前記受信された信号に少なくとも部分的に基づく前記装置のロケーションの推定を含むことを特徴とする［１］に記載の装置。 
［９］前記装置は、前記無線通信ネットワークを介して、前記サーバへ環境センサデータを送信するように更に構成されたことを特徴とする［１］に記載の装置。 
［１０］受信機で信号を受信することと、 
第１の装置を、無線通信ネットワーク上で第２の装置サーバと情報を交換するために、前記第２に同期して待機状態から間欠的に起動することを含み、 
前記情報は、前記受信された信号に少なくとも部分的に基づくロケーション情報を含むことを特徴とする方法。 
［１１］ショートメッセージサービス（ＳＭＳ）を用いて、前記情報を交換することを更に含むことを特徴とする［１０］に記載の方法。 
［１２］前記ロケーション情報は、前記受信された信号に少なくとも部分的に基づいて決定された、擬似距離測定値を含むことを特徴とする［１０］に記載の方法。 
［１３］前記情報は、衛星測位システム（ＳＰＳ）に関連するアルマナック情報及びエフェメリス情報から本質的に成るグループから選択された情報を更に含むことを特徴とする［１２］に記載の方法。 
［１４］前記情報は、符号分割多元接続プロトコルに従って、前記無線通信ネットワークへ送信され、又は、前記無線通信ネットワークから受信され、又は、それらの両方をされることを特徴とする［１０］に記載の方法。 
［１５］前記装置を待機状態から前記間欠的に起動することは、予め定められたスケジュールに従って、前記待機状態から前記装置を起動することを含むことを特徴とする［１０］に記載の装置。 
［１６］前記情報は、前記サーバから前記装置へ発行されたコマンドを更に含むことを特徴とする［１０］に記載の方法。 
［１７］前記情報は、前記受信された信号に少なくとも部分的に基づく前記装置のロケーションの推定を含むことを特徴とする［１０］に記載の方法。 
［１８］前記装置は、前記無線通信ネットワークを介して、前記サーバへ環境センサデータを送信するように更に構成されたことを特徴とする［１０］に記載の方法。 
［１９］アーティクルにおいて、 
記憶媒体に記憶された機械読み取り可能なインストラクションであって、コンピューティングプラットホームにより実行された場合に、前記コンピューティングプラットホームに、 
受信機で受信された信号を処理させ、 
第１の装置を、無線通信ネットワーク上で第２の装置サーバと情報を交換するために、前記第２に同期して待機状態から間欠的に起動させる、 
ように構成されたインストラクションを含む記憶媒体を含み、 
前記情報は、前記処理された信号に少なくとも部分的に基づくロケーション情報を含むことを特徴とするアーティクル。 
［２０］前記インストラクションは、前記コンピューティングプラットホームにより実行された場合に、前記コンピューティングプラットホームに、予め定められたスケジュールに従って、前記待機状態から前記装置を起動させるように更に構成されたことを特徴とする［１９］に記載のアーティクル。 
［２１］前記インストラクションは、前記コンピューティングプラットホームにより実行された場合に、前記コンピューティングプラットホームに、ショートメッセージサービス（ＳＭＳ）を用いて、前記情報の交換を開始させるように更に構成されたことを特徴とする［１９］に記載のアーティクル。 
［２２］前記ロケーション情報は、前記受信された信号に少なくとも部分的に基づいて決定された、擬似距離測定値を含むことを［１９］に記載のアーティクル。 
［２３］受信機で受信された信号を処理するための手段と、 
第１の装置を、無線通信ネットワーク上で第２の装置と情報を交換するために、前記第２に同期して待機状態から間欠的に起動させるための手段とを含み、 
前記情報は、前記処理された信号に少なくとも部分的に基づくロケーション情報を含むことを特徴とする装置。 
［２４］前記第１の装置を待機状態から前記間欠的に起動させるための手段は、予め定められたスケジュールに従って、前記待機状態から前記装置を起動するための手段を更に含むことを特徴とする［２３］に記載の装置。 
［２５］ショートメッセージサービス（ＳＭＳ）を用いて、前記第２のデバイスとの前記情報の交換を開始するための手段とを更に含むことを特徴とする［２３］に記載の装置。 
［２６］前記ロケーション情報は、前記受信された信号に少なくとも部分的に基づいて決定された、擬似距離測定値を含むことを特徴とする［２３］に記載の装置。 
［２７］デバイスに宛てられたメッセージを受信することと、 
前記デバイスが待機状態から起動されるインターバル中での無線通信リンクのダウンリング部分を介した前記デバイスへの前記メッセージの伝送をスケジューリングすることを含むことを特徴とする方法。 
［２８］待機デューティーサイクルを示す情報を前記デバイスから受信することと、 
前記情報に少なくとも部分的に基づいて前記送信をスケジューリングすることを更に含むことを特徴とする［２７］に記載の方法。 
［２９］前記情報は、無線通信ネットワークに前記デバイスを登録するための手続きの間に、前記デバイスから送信されることを特徴とする［２８］に記載の方法。 
［３０］前記メッセージは、ショートメッセージサービス（ＳＭＳ）プロトコルに従って、送信されることを特徴とする［２７］に記載の方法。 
［３１］前記メッセージの送信を前記スケジューリングすることは、前記ダウンリンク部分におけるメッセージの送信のタイミングから独立して、前記メッセージをスケジューリングすることを含むことを特徴とする［２７］に記載の方法。 
［３２］前記デバイスが起動状態にある期間についてのインターバルを定義することと、 
当該定義されたインターバルを示すメッセージの送信をスケジューリングすることを更に含むことを特徴とする［２７］に記載の方法。 
［３３］前記インターバルを前記定義することは、前記デバイスに関連するバッテリーレベルに少なくとも部分的に基づいて、前記インターバルを変更することを含むことを特徴とする［３２］に記載の方法。 
［３４］前記インターバルを前記定義することは、前記メッセージの送信と、前記ダウンリンクからの前記デバイスでの受信との間の遅延に関連する不確かさに少なくとも部分的に基づいて、前記インターバルを定義することを含むことを特徴とする［２７］に記載の方法。 
［３５］アーティクルにおいて、 
記憶媒体に記憶された機械読み取り可能なインストラクションであって、コンピューティングプラットホームにより実行された場合に、前記コンピューティングプラットホームに、 
デバイスに宛てられたメッセージを、データ構造に記憶させ、 
前記デバイスが待機状態から起動されるインターバル中での無線通信リンクのダウンリング部分を介した前記デバイスへの前記メッセージの伝送をスケジューリングさせる、ように構成されたインストラクションを有する記憶媒体を含むことを特徴とするアーティクル。 
［３６］前記機械読み取り可能なインストラクションは、前記コンピューティングプラットホームにより実行された場合に、前記コンピューティングプラットホームに、 
前記デバイスから受信された待機デューティーサイクルを示す情報に少なくとも部分的に基づいて前記送信をスケジューリングさせる、 
ように更に構成されたことを特徴とする［３５］に記載のアーティクル。 
［３７］前記インストラクションは、前記コンピューティングプラットホームにより実行された場合に、前記コンピューティングプラットホームに、 
前記ダウンリンク部分におけるメッセージの送信のタイミングから独立して、前記メッセージをスケジューリングさせるように更に構成されたことを特徴とする［３５］に記載のアーティクル。 
［３８］前記インストラクションは、前記コンピューティングプラットホームにより実行された場合に、前記コンピューティングプラットホームに、 
前記デバイスが起動状態にある期間についてのインターバルを定義させ、 
当該定義されたインターバルを示すメッセージの送信をスケジューリングさせるように更に構成されたことを特徴とする［３５］に記載のアーティクル。 
［３９］前記インストラクションは、前記コンピューティングプラットホームにより実行された場合に、前記コンピューティングプラットホームに、 
前記デバイスに関連するバッテリーレベルに少なくとも部分的に基づいて、前記インターバルを変更させるように更に構成されたことを特徴とする［３７］に記載のアーティクル。 
［４０］前記インストラクションは、前記コンピューティングプラットホームにより実行された場合に、前記コンピューティングプラットホームに、 
前記メッセージの送信と、前記ダウンリンクからの前記デバイスでの受信との間の遅延に関連する不確かさに少なくとも部分的に基づいて、前記インターバルを定義させるように更に構成されたことを特徴とする［３５］に記載のアーティクル。 
［４１］コンピューティングプラットホームを含む装置において、 
前記コンピューティングプラットホームは、 
デバイスに宛てられたメッセージを、データ構造に記憶し、 
前記デバイスが待機状態から起動されるインターバル中での無線通信リンクのダウンリング部分を介した前記デバイスへの前記メッセージの伝送をスケジューリングするように構成されたことを特徴とする装置。 
［４２］前記コンピューティングプラットホームは、待機デューティーサイクルを示す情報に少なくとも部分的に基づいて前記送信をスケジューリングするように更に構成されたことを特徴とする［４１］に記載の装置。 
［４３］前記コンピューティングプラットホームは、前記ダウンリンク部分におけるメッセージの送信のタイミングから独立して、前記メッセージをスケジューリングするように更に構成されたことを特徴とする［４１］に記載の装置。 
［４４］前記デバイスが起動状態にある期間についてのインターバルを定義することと、 
当該定義されたインターバルを示すメッセージの送信をスケジューリングすることを更に含むことを特徴とする［４１］に記載の方法。 
［４５］前記インターバルを前記定義することは、前記デバイスに関連するバッテリーレベルに少なくとも部分的に基づいて、前記インターバルを変更することを含むことを特徴とする［４４］に記載の方法。 
［４６］前記インターバルを前記定義することは、 
前記メッセージの送信と、前記ダウンリンクからの前記デバイスでの受信との間の遅延に関連する不確かさに少なくとも部分的に基づいて、前記インターバルを定義することを含むことを特徴とする［４１］に記載の方法。 
［４７］デバイスに宛てられたメッセージを受信するための手段と、 
前記デバイスが待機状態から起動されるインターバル中での無線通信リンクのダウンリング部分を介した前記デバイスへの前記メッセージの伝送をスケジューリングするための手段とを含むことを特徴とする装置。 
［４８］待機デューティーサイクルを示す情報を前記デバイスから受信するための手段と、 
前記情報に少なくとも部分的に基づいて前記送信をスケジューリングするための手段とを更に含むことを特徴とする［４７］に記載の装置。 
［４９］前記メッセージの送信を前記スケジューリングするための手段は、メッセージの送信のタイミングから独立して、前記メッセージをスケジューリングするための手段を含むことを特徴とする［４７］に記載の装置。 
［５０］前記デバイスが起動状態にある期間についてのインターバルを定義するための手段と、
当該定義されたインターバルを示すメッセージの送信をスケジューリングするための手段とを更に含むことを特徴とする［４７］に記載の装置。 
［５１］前記インターバルを前記定義するための手段は、前記デバイスに関連するバッテリーレベルに少なくとも部分的に基づいて、前記インターバルを変更するための手段を含むことを特徴とする［５０］に記載の装置。 
［５２］前記インターバルを前記定義するための手段は、前記メッセージの送信と、前記ダウンリンクからの前記デバイスでの受信との間の遅延に関連する不確かさに少なくとも部分的に基づいて、前記インターバルを定義するための手段を含むことを特徴とする［４７］に記載の装置。
【図１】
0005518941.tif 000004
【図２】
0005518941.tif 000005
【図３】
0005518941.tif 000006
【図４】
0005518941.tif 000007
【図５】
0005518941.tif 000008
【図６】
0005518941.tif 000009